(57)【要約】      （修正有）【課題】液晶パネルに荷重が加わらないような液晶パネルの識別情報および管理情報の付与が、安価で簡便に可能である液晶パネルの梱包方法を提供する。【解決手段】カセット１へ収める液晶パネル２の梱包方法であって、液晶パネル２よりも平面視が大きく、その大きい部分が耳部として規定されたスペーサシート３を準備する工程と、耳部に液晶パネルを識別するラベル４を貼付する工程と、スペーサシートをそれぞれの間に挟んで複数枚の液晶パネルをカセット内に収める工程とを備え、液晶パネルに荷重が加わらないような液晶パネルの識別情報および管理情報を付与する。【選択図】図１
2008174272.tif 000002
【特許請求の範囲】
【請求項１】
カセットへ収める液晶パネルの梱包方法であって、
（ａ）前記液晶パネルよりも平面視が大きく、その大きい部分が耳部として規定されたスペーサシートを準備する工程と、
（ｂ）前記耳部に前記液晶パネルを識別するラベルを貼付する工程と、
（ｃ）前記スペーサシートをそれぞれの間に挟んで複数枚の前記液晶パネルを前記カセット内に収める工程と、
を備えることを特徴とする、液晶パネルの梱包方法。
【請求項２】
前記工程（ｂ）に代えて、
（ｄ）前記耳部に前記液晶パネルを識別する情報を直接に記入する工程を備えることを特徴とする、請求項１に記載の液晶パネルの梱包方法。
【請求項３】
前記工程（ａ）は、
前記耳部が重なり合わない複数枚のスペーサシートを準備する工程を含むことを特徴とする、請求項１または請求項２に記載の液晶パネルの梱包方法。
【請求項４】
前記耳部は透明であることを特徴とする、請求項１に記載の液晶パネルの梱包方法。
【請求項５】
前記カセットは前記耳部が収まる箇所を切り欠いていることを特徴とする、請求項１に記載の液晶パネルの梱包方法。
【発明の詳細な説明】
【技術分野】
【０００１】
本発明は、ＴＦＴ液晶パネルの梱包方法に関する。
【背景技術】
【０００２】
一般的に、液晶表示装置を構成するＴＦＴ液晶パネルを梱包する方法としては、複数枚のＴＦＴ液晶パネルを積み重ねて一纏めにする。そして、個々のＴＦＴ液晶パネルを識別して管理するために、パネルの情報やバーコードなどのラベルを各パネルに貼付することが最も簡易に管理できる方法の１つである。
【０００３】
しかし、ＴＦＴ液晶パネルにラベルを貼付すると、積み重ねたパネルのラベル貼付部分に荷重が集中してしまい、これがパネルの表示不良の原因となってしまう。
【０００４】
このような問題に対して、無線タグを使用して電子機器の識別管理をする方法（例えば、特許文献１参照）や、スペーサシートを使用した保管方法（例えば、特許文献２参照）、そして、トレイを用いた梱包方法（例えば、特許文献３参照）がある。
【０００５】
【特許文献１】特開２００５−２１９７６３
【特許文献２】特開２００５−２８９４５８
【特許文献３】特開２００２−３３７９５１
【発明の開示】
【発明が解決しようとする課題】
【０００６】
しかし、特許文献１に記載の方法は、無線タグを使用できるトレイの形状に関するものであり、スペーサシートについての記載はない。また、特許文献２に記載の方法は、スペーサシートの表面の処理方法に関するものであり、ラベルなどによる管理方法や液晶パネルの梱包方法などについての記載はない。そして、特許文献３に記載の方法は、液晶パネルを複数枚ずつ搬送するためのトレイの形状および複数重ねたトレイを梱包する方法に関するものであり、ラベルなどによる管理方法の記載はない。
【０００７】
本発明は、これらの課題を解決するためになされたもので、ＴＦＴ液晶パネルに荷重が加わらないような液晶パネルの識別情報および管理情報の付与が、安価で簡便に可能であるスペーサシートを用いた液晶パネルの梱包方法を提供することを目的とする。
【課題を解決するための手段】
【０００８】
上記の課題を解決するために、本発明による液晶パネルの梱包方法は、カセットへ収める液晶パネルの梱包方法であって、（ａ）液晶パネルよりも平面視が大きく、その大きい部分が耳部として規定されたスペーサシートを準備する工程と、（ｂ）耳部に液晶パネルを識別するラベルを貼付する工程と、（ｃ）スペーサシートをそれぞれの間に挟んで複数枚の液晶パネルをカセット内に収める工程とを備えることを特徴とする。
【発明の効果】
【０００９】
本発明は、液晶パネルよりも平面視が大きく、その大きい部分が耳部として規定されたスペーサシートを準備し、次に耳部に液晶パネルを識別するラベルを貼付し、次にスペーサシートをそれぞれの間に挟んで複数枚の液晶パネルをカセット内に収めるので、液晶パネルに荷重が加わらないような液晶パネルの識別情報および管理情報の付与が、安価で簡便に可能であるという効果がある。
【発明を実施するための最良の形態】
【００１０】
本発明の実施形態について、図面に基づいて以下に説明する。
【００１１】
〈実施形態１〉
図１は本発明の実施形態１による梱包部材の斜視図であり、図２は本発明の実施形態１による梱包部材の上面図である。
【００１２】
カセット１は、発泡ＰＰ（ポリプロピレン）などのクッション性のある素材で形成されており、深さは梱包するパネルの枚数によって決定される。また、カセット１の内部はスペーサシート３の耳部（ならびにその他の外形）よりも少し大きめに凹部を設けており、ＴＦＴ液晶パネル２およびスペーサシート３をカセット１に収納したときにできる隙間を用いることによって、ＴＦＴ液晶パネル２およびスペーサシート３の収納および取り出しが容易になる。スペーサシート３は、複数枚のＴＦＴ液晶パネル２をカセット１内に収めるときに、ＴＥＴ液晶パネル２同士の密着を防止するためにそれぞれの間に挟んで使用する。スペーサシート３は、クリーン紙やＰＥＴシート、ポリカーボネート等の素材で形成されており、ＴＦＴ液晶パネル２との接触部分は密着防止の処理が施され、ＴＦＴ液晶パネル２よりも平面視が大きく、その大きい部分が耳部として規定されている。
【００１３】
ＴＦＴ液晶パネル２をカセット１に梱包する際、スペーサシート３の耳部にラベル４を貼付し、しかる後ＴＦＴ液晶パネル２とスペーサシート３とを交互に積み重ねて収納する。このとき、１枚のＴＦＴ液晶パネル２に対してスペーサシート３が１枚あるため、スペーサシート３（特に耳部）を持つことによってＴＦＴ液晶パネル２をカセット１から取り出しまたは収納することが可能である。これは、ＴＦＴ液晶パネル２に直接触れることがなく実行できるので、静電気などのＴＦＴ液晶パネル２に対する不具合を防ぐことができる。また、ＴＦＴ液晶パネル２を識別するラベル４は、スペーサシート３の耳部に貼付されているため、ラベル４がＴＦＴ液晶パネル２に接触して荷重が加わることによって生じるＴＦＴ液晶パネル２の故障またはセルギャップのムラなどの不具合を防止することができる。ラベル４には、ＴＦＴ液晶パネル２を識別する情報として、数字、記号、文字、二次元バーコード、三次元バーコード、ＱＲコード（Ｑｕｉｃｋ  Ｒｅｓｐｏｎｓｅ  ｃｏｄｅ）等の二次元コードが表記される。
【００１４】
なお、本発明の実施形態１において、ＴＦＴ液晶パネル２の梱包について記載しているが、液晶パネルであればいかなるものでもよい。
【００１５】
以上のことから、ＴＦＴ液晶パネル２をカセット１に梱包する際、ＴＦＴ液晶パネル２に荷重が加わらないようなＴＦＴ液晶パネル２の識別情報および管理情報の付与が、安価で簡便に可能となる。また、取り出し時におけるＴＦＴ液晶パネル２の故障またはセルギャップのムラなどの不具合を防止することができる。
【００１６】
〈実施形態２〉
本発明の実施形態２の特徴は、スペーサシート３にＴＦＴ液晶パネル２を識別する情報を印刷または刻印をすることである。すなわち、実施形態１ではスペーサシート３の耳部にＴＦＴ液晶パネル２を識別するラベル４を貼付しているが、実施形態２ではラベル４を貼付せずに耳部に直接に記入（印刷または刻印等）している。
【００１７】
カセット１、ＴＦＴ液晶パネル２、スペーサシート３は実施形態１と同様であり、梱包方法についても実施形態１と同様である。
【００１８】
以上のことから、ＴＦＴ液晶パネル２をカセット１に梱包する際、ＴＦＴ液晶パネル２に荷重が加わらないようなＴＦＴ液晶パネル２の識別情報および管理情報の付与が、安価で簡便に可能となる。また、取り出し時におけるＴＦＴ液晶パネル２の故障またはセルギャップのムラなどの不具合を防止することができる。
【００１９】
〈実施形態３〉
本発明の実施形態３の特徴は、スペーサシート３の耳部が重なり合わない複数のスペーサシート３を備えることである。カセット１、ＴＦＴ液晶パネル２、ラベル４は実施形態１と同様であり、梱包方法についても実施形態１と同様である。
【００２０】
図３は本発明の実施形態３による梱包部材の上面図である。図３に示すように、スペーサシート３の耳部が重なり合わないように積み重ねられており、それぞれの耳部にはラベル４が貼付されている。こうすることによって、カセット１の上面から、ラベル４に記載されているＴＦＴ液晶パネル２の情報を一度に全て読み取ることが可能となる。
【００２１】
以上のことから、ＴＦＴ液晶パネル２をカセット１に梱包する際、ＴＦＴ液晶パネル２に荷重が加わらないようなＴＦＴ液晶パネル２の識別情報および管理情報の付与が、安価で簡便に可能となる。また、取り出し時におけるＴＦＴ液晶パネル２の故障またはセルギャップのムラなどの不具合を防止することができる。さらに、スペーサシート３の耳部が重なり合わない複数のスペーサシート３を備えているため、ラベル４に記載されているＴＦＴ液晶パネル２の情報を一度に全て読み取ることが可能となる。
【００２２】
〈実施形態４〉
本発明の実施形態４の特徴は、スペーサシート３の耳部が透明であることである。カセット１、ＴＦＴ液晶パネル２、ラベル４は実施形態１と同様であり、梱包方法についても実施形態１と同様である。また、耳部について、素材は透明なものであればいかなるものでもよく、図１および図２に示した形状と同一である。
【００２３】
スペーサシート３には、ラベル４が重なり合わないように貼付されている。こうすることによって、カセット１の上面から、ラベル４に記載されているＴＦＴ液晶パネル２の情報を一度に全て読み取ることが可能となる。
【００２４】
以上のことから、ＴＦＴ液晶パネル２をカセット１に梱包する際、ＴＦＴ液晶パネル２に荷重が加わらないようなＴＦＴ液晶パネル２の識別情報および管理情報の付与が、安価で簡便に可能となる。また、取り出し時におけるＴＦＴ液晶パネル２の故障またはセルギャップのムラなどの不具合を防止することができる。さらに、スペーサシート３の耳部が透明であるため、ラベル４に記載されているＴＦＴ液晶パネル２の情報を一度に全て読み取ることが可能となる。
【００２５】
〈実施形態５〉
図４は、本発明の実施形態５によるカセットの斜視図である。
【００２６】
本発明の実施形態４の特徴は、ＴＦＴ液晶パネル２およびスペーサシート３を積み重ねてカセット１に梱包したときに、スペーサシート３の耳部に貼付されたラベル４に記載の情報を読み取ることができるように、カセット１に対して耳部が収まる箇所を切り欠いて、切り欠き５を設けていることである。
【００２７】
具体的には、実施形態１に記載の図１および図２に示すようなスペーサシート３において、図２の状態では最上面のラベル４に記載している内容しか読み取ることができない。そこで、カセット１を図４に示すような形状にすることによって、カセット１の切り欠き５から全てのラベル４に記載の内容を読み取ることができる。
【００２８】
以上のことから、ＴＦＴ液晶パネル２をカセット１に梱包する際、ＴＦＴ液晶パネル２に荷重が加わらないようなＴＦＴ液晶パネル２の識別情報および管理情報の付与が、安価で簡便に可能となる。また、取り出し時におけるＴＦＴ液晶パネル２の故障またはセルギャップのムラなどの不具合を防止することができる。さらに、カセット１に対してスペーサシート３の耳部が収まる箇所を切り欠いているため、ラベル４に記載されているＴＦＴ液晶パネル２の情報を一度に全て読み取ることができる。
【図面の簡単な説明】
【００２９】
【図１】本発明の実施形態１による梱包部材の斜視図である。
【図２】本発明の実施形態１による梱包部材の上面図である。
【図３】本発明の実施形態３による梱包部材の上面図である。
【図４】本発明の実施形態５によるカセットの斜視図である。
【符号の説明】
【００３０】
１  カセット、２  ＴＦＴ液晶パネル、３  スペーサシート、４  ラベル、５  切り欠き。
【図１】
2008174272.tif 000003
【図２】
2008174272.tif 000004
【図３】
2008174272.tif 000005
【図４】
2008174272.tif 000006